(57)【要約】【課題】集水ます本体の安定した支持状態を得ると共に、集水ます本体と躯体との間の隙間が広がった場合でも躯体取付カバーにて外観性を良好に保つこと。【解決手段】外壁面から突出して設置される枝管２などの排水部材からの雨水を集めて竪樋に排水するための集水ます本体５と、外壁面に対して取り付けられる躯体取付カバー６とで集水ます４が構成されている。集水ます本体５は係合手段７により躯体取付カバー６に対して係合されると共に、集水ます本体５と躯体取付カバー６との係合状態で集水ます本体５と躯体との間の隙間Ａ及び枝管が躯体取付カバー６にて隠蔽される集水ます４の躯体取付構造である。【選択図】図１
2008133615.tif 000002
【特許請求の範囲】
【請求項１】
建物の躯体から突出して設置される軒樋や枝管などの排水部材からの雨水を集めて竪樋に排水するための集水ます本体と、躯体に対して取り付けられる躯体取付カバーとで集水ますが構成され、上記集水ます本体は係合手段により上記躯体取付カバーに対して係合されると共に、集水ます本体と躯体取付カバーとの係合状態で集水ます本体と躯体との間の隙間及び枝管が躯体取付カバーにて隠蔽されていることを特徴とする集水ますの躯体取付構造。
【請求項２】
上記係合手段は、躯体取付カバーの内側面とこれに対向する集水ます本体の外側面のいずれか一方に設けられる突起部と、いずれか他方に設けられて上記突起部に係合可能な係合部とからなり、上記突起部を集水ますの前後方向に複数設けて躯体からの集水ます本体の出寸法を調整可能にすると共に、躯体取付カバーに竪樋との干渉を回避するための逃がし凹所を設けたことを特徴とする請求項１記載の集水ますの躯体取付構造。
【請求項３】
上記躯体取付カバーの内側の後面部に、躯体にビス固定されるビス打込み穴を設けたことを特徴とする請求項１又は請求項２記載の集水ますの躯体取付構造。
【発明の詳細な説明】
【技術分野】
【０００１】
本発明は、集水ますの躯体取付構造に関し、詳しくは建物の躯体から突出して設置される軒樋や枝管などの排水部材からの雨水を集めて竪樋に排水するための集水ますを躯体に取り付ける技術に関するものである。
【背景技術】
【０００２】
一般に、集合住宅等の多階層建築物の排水管系に使用される排水集合管は、建築物の各階ごとに、汚水や雑排水を躯体（建物の外壁面）から出ている枝管を介して集水ます内へ流入させ、集水ますの底壁に設けた排水口から竪樋へ流下させるよう構成されている。
【０００３】
ところが、従来の集水ますの施工では、図４に示すように、集水ます４´を外壁面１に固定するのではなく、集水ます４´に接続される竪樋３の上部を控金具１０を用いて外壁面１に固定するものである。つまり集水ます４´自体は外壁面１に固定されないために不安定な状態となり、例えば風とか竪樋３の熱収縮等によって集水ます４´が変移して枝管２から外れてしまうといった問題がある。そこで、仮りに外壁面１から離れないように集水ます４´を外壁面１に密着して施工すれば、外壁面１からの竪樋３の出寸法Ｂがとても小さくなり、竪樋３に対して控金具１０が取り付け不能となる。そのために従来では竪樋３の出寸法Ｂを大きくせざるを得ず、結果として集水ます４´が自然と外壁面１から離れて浮いた状態となり、不安定となるうえに、集水ます４´と外壁面１との間に隙間Ａが生じて枝管２が目立つようになる。また例えば図５（ａ）或いは（ｂ）に示すように集水ます４´をエルボ２０と横引管２１とを用いて竪樋３に接続しなければならないような納まりの場合にあっては、従来では竪樋３の出寸法Ｂに応じて集水ます４´の出寸法も大きくなり、隙間８から枝管２も丸見えとなって外観が低下するという問題があった。
【０００４】
他の従来例として、集水ますと壁面との隙間を覆うためのカバーを集水ますに固定した構造が知られている（例えば、特許文献１参照）。
【０００５】
しかしながら上記特許文献１に記載された他の従来例では、上記従来例と同様、集水ます自体は外壁面に固定されないために不安定であり、さらに風とか竪樋の熱収縮等によって集水ますが変移して枝管から外れてしまうという問題があり、またこのとき集水ますに固定されているカバーも一緒に変移して外壁面から離れてしまい、カバーによる集水ますと外壁面との間の隙間を隠蔽する機能が損なわれ、外観上の納まりが悪くなるといった問題もある。
【特許文献１】特開２００６−１９３９８９号公報
【発明の開示】
【発明が解決しようとする課題】
【０００６】
本発明は上記の従来の問題点に鑑みて発明したものであって、集水ます本体を躯体取付カバーを介して躯体に固定でき、これにより集水ます本体の安定した支持状態が得られ、集水ます本体が躯体から出ている枝管から外れてしまわないようにできると共に、集水ます本体と躯体との間の隙間が広がった場合でも躯体取付カバーにて外観性を良好に保つことができる集水ますの躯体取付構造を提供することを課題とし、また、施工現場によって変わる控金具のあらゆる出寸法に対応できる集水ますの躯体取付構造を提供することを課題とするものである。
【課題を解決するための手段】
【０００７】
前記課題を解決するために本発明は、建物の躯体から突出して設置される軒樋や枝管２などの排水部材からの雨水を集めて竪樋３に排水するための集水ます本体５と、躯体に対して取り付けられる躯体取付カバー６とで集水ます４が構成され、上記集水ます本体５は係合手段７により上記躯体取付カバー６に対して係合されると共に、集水ます本体５と躯体取付カバー６との係合状態で集水ます本体５と躯体との間の隙間Ａ及び枝管２が躯体取付カバー６にて隠蔽されていることを特徴としている。
【０００８】
このような構成とすることで、集水ます本体５を躯体取付カバー６を介して躯体に固定できるので、集水ます本体５の安定した支持状態が得られるようになり、しかも集水ます本体５が躯体から出ている枝管２から外れてしまわないようにできると共に、集水ます本体５と躯体との間の隙間Ａが広がった場合でも躯体取付カバー６にて外観性を良好に保つことができる。
【０００９】
また、上記係合手段７は、躯体取付カバー６の内側面とこれに対向する集水ます本体５の外側面のいずれか一方に設けられる突起部７ａと、いずれか他方に設けられて上記突起部７ａに係合可能な係合部７ｂとからなり、上記突起部７ａを集水ます４の前後方向Ｄに複数設けて躯体からの集水ます本体５の出寸法が調整可能にすると共に、躯体取付カバー６に竪樋３との干渉を回避するための逃がし凹所９を設けるのが好ましく、この場合、複数の突起部７ａのいずれかに係合部７ｂを係合させることで、集水ます本体５の出寸法を段階的に変化させながら、集水ます本体５を躯体取付カバー６にワンタッチで取付可能になると共に、出寸法調整時において竪樋３と躯体取付カバー６との干渉を逃がし凹所９によって回避できるので、施工現場によって変わる控金具１０のあらゆる出寸法Ｂに対応できるようになる。
【００１０】
また、上記躯体取付カバー６の内側の後面部６ｃに、躯体にビス固定されるビス打込み穴１１を設けるのが好ましく、この場合、ビス打込み穴１１が外部に露出しないようにでき、外観が一層向上する。
【発明の効果】
【００１１】
本発明は、集水ます本体を躯体取付カバーを介して躯体に対して固定することにより、躯体取付カバーにて集水ます本体と躯体との間の隙間を隠蔽しながら、集水ます本体の安定した支持状態が得られ、集水ますの安定支持と外観性の向上とを図ることができる集水ますの躯体取付構造が得られるものである。
【００１２】
また、上記係合手段の突起部を複数設けたことにより、集水ます本体を躯体取付カバーにワンタッチで係合できるものでありながら、突起部に対する係合部の係合位置の可変によって躯体からの集水ます本体の出寸法が調整可能となり、また躯体取付カバーに竪樋との干渉を回避するための逃がし凹所を設けたことにより、施工現場によって変わる控金具のあらゆる出寸法に対応可能となる。
【発明を実施するための最良の形態】
【００１３】
以下、本発明を添付図面に示す実施形態に基いて説明する。
【００１４】
本実施形態の集水ます４は、図１に示すように、竪樋３の頂部に接続される集水ます本体５と、建物の躯体（以下「外壁面１」という）に対して取り付けられる躯体取付カバー６とで構成される。
【００１５】
集水ます本体５は、周壁及び底壁を有する本体部５ａと、本体部５ａの上面開口部を覆う蓋部５ｂとからなり、本体部５ａの後壁５ｃには外壁面１から出ている枝管２と接続される枝管接続口３０が設けられている。
【００１６】
上記躯体取付カバー６は、外壁面１に取り付けられる躯体取付部６ａと、集水ます本体５と外壁面１との間の隙間Ａを隠蔽するためのカバー部６ｂとが一体形成されている。本例の躯体取付カバー６は、左右の両側面部６ｄと底面部６ｅと後面部６ｃとで、前方及び上方に開放された収納空間１２が形成されており、後面部６ｃが外壁面１への躯体取付部として機能し、両側面部６ｄ及び底面部６ｅがカバー部６ｂとして機能する。ここでは、カバー部６ｂの前後寸法ｅは集水ます本体５の奥行き幅Ｅよりも長尺に形成され、上下寸法ｆは集水ます本体５の高さ寸法Ｆよりも長尺に形成され、内幅寸法ｇは集水ます本体５の横幅寸法Ｇと略同じに形成されている。また本例では、躯体取付部６ａである後面部６ｃの中央側に枝管２が挿入される上向きＵ字状の枝管受け口１３が設けられ、その左右両サイドにそれぞれ、外壁面１にビス固定されるビス打込み穴１１が設けられている。さらに底面部６ｅの中央側には、前方に開口した逃がし凹所９が形成されており、出寸法調整時に竪樋３と底面部６ｅとの干渉を回避できるようにしている。
【００１７】
上記集水ます本体５と躯体取付カバー６とは係合手段７を介して係合される。係合手段７は、図２に示すように、躯体取付カバー６とこれに対向する集水ます本体５のいずれか一方に設けられる突起部７ａと、いずれか他方に設けられて上記突起部７ａに係合可能な係合部７ｂとからなる。本例では、躯体取付カバー６の両側の側面部６ｄの内面上端側に、それぞれ、側面部６ｄの前端から後端に至る略全長に亘って複数の突起部７ａが凹凸状に連続して設けられており、一方、集水ます本体５の上面開口を着脱自在に覆う蓋部５ｂの両側の外面前端側に、それぞれ、躯体取付カバー６側の突起部７ａに係合可能な係合部７ｂが突設されている。本例の係合部７ｂは、図２（ａ）に示すように、凸形状のバネ片からなり、集水ます本体５を躯体取付カバー６の奥に押し込んだり或いは手前に引き出したりすることにより、係合部７ｂが図２（ｂ）の矢印方向に移動して上記複数の突起部７ａのうちのいずれか１つの突起部７ａに弾性的に係合でき、これにより集水ます本体５の出寸法を段階的に調整できる構造となっている。
【００１８】
しかして、上記構成の躯体取付カバー６を外壁面１に取り付けた状態で、前方から集水ます本体５を躯体取付カバー６内に押し込むことにより、集水ます本体５の蓋部５ｂ側に設けた突起部７ａと、躯体取付カバー６側に設けた係合部７ｂとが噛み合うことによって、躯体取付カバー６に対する集水ます本体５の取り付けがワンタッチで行なわれ、取り付け作業に手間がかからず、しかも突起部７ａと係合部７ｂとの噛み合いによって躯体取付カバー６から集水ます本体５が抜け出る心配がないため施工の信頼性が高められる。さらに、図３に示すように、集水ます本体５は躯体取付カバー６を介して外壁面１に固定された構造となるので、従来のように集水ます全体が外壁面から浮いた状態となる場合と比較して、集水ます本体５の安定した支持状態が得られるので、集水ます本体５が枝管２から外れてしまわないようにできる。
【００１９】
さらに、弾性を有する係合部７ｂが上記複数の突起部７ａのいずれかに弾性的に係合することにより、集水ます本体５を躯体取付カバー６の奥に押し込んだり、或いは手前に引き出したりして、集水ます本体５の出寸法を段階的に変化させることが可能となり、施工現場によって変わる控金具１０のあらゆる出寸法Ｂに対応できるようになる。さらにこのように集水ます本体５の出寸法の調整を行なっても、外壁面１に固定された躯体取付カバー６によるカバー機能が持続されるので、集水ます本体５の出寸法が広がった場合でも、外壁面１との隙間Ａを隠蔽できると共に枝管２も隠蔽できるようになるので、例えば図５（ａ）或いは（ｂ）に示すように、集水ます４をエルボ２０と横引管２１とを用いて横方向に振って竪樋３に接続しなければならないような納まりの場合であっても、本発明では集水ます本体５が外壁面１から浮いて見えたり、枝管２が丸見えになったりすることがなくなり、そのうえ躯体取付カバー６の内側の後面部６ｃに躯体取付部６ａとしてのビス打込み穴１１を設けているため、ビス打込み穴１１が外部に露出しなくなり、結果、集水ます４の安定した支持と外観性の向上とを図ることができるものである。
【００２０】
また本例では、躯体取付カバー６の竪樋３との対向部分に竪樋３が出入り可能な逃がし凹所９が設けられているので、出寸法調整を行なう時に竪樋３と躯体取付カバー６との干渉を逃がし凹所９によって回避でき、施工現場によって変わる控金具１０のあらゆる出寸法Ｂに容易に対応できるようになる。
【００２１】
さらに本例では集水ます本体５の上面開口を着脱自在に覆う蓋部５ｂに、係合部７ｂを設けているので、本体部５ａ自体の既存の構造を変える必要がなく、集水ます本体５のコストアップを防止できる利点がある。
【００２２】
なお、躯体取付カバー６と集水ます本体５との係合状態では、集水ます本体５の底壁５ｄ（図１）と躯体取付カバー６の底面部６ｅとの間に集水ます本体５の下方への変移を許容する若干のスペース（遊び）を設けておくのが望ましい。こうすることで、仮りに竪樋３の熱収縮等があってもそれを該スペースで吸収できるようになるので、竪樋３の熱収縮等によって集水ます本体５及び躯体取付カバー６に負荷がかかることがなく、従って、特に外壁面１に固定されている躯体取付カバー６の固定部分での変形や割れが発生するのを防止でき、結果として、外壁面１に対する取り付け強度を長期に亘って維持できるものでありながら、良好な外観を長期に亘って持続できる利点も得られる。
【００２３】
なお、前記実施形態では係合部７ｂを蓋部５ｂ側に設け、突起部７ａを躯体取付カバー６側に設けたが、これとは逆に、係合部７ｂを躯体取付カバー６側に設け、突起部７ａを蓋部５ｂ側に設けることも可能である。さらに他例として、集水ます本体５の蓋部５ｂではなく、集水ます本体５の本体部５ａの上端部側に係合部７ｂ或いは突起部７ａのいずれか一方を設けることも可能である。
【図面の簡単な説明】
【００２４】
【図１】本発明の一実施形態に用いる集水ますの分解斜視図である。
【図２】（ａ）は同上の係合手段を構成する係合部と突起部を示す平面図、（ｂ）は係合部がバネ片である場合の説明図である。
【図３】同上の集水ます本体を躯体取付カバーを介して躯体に取り付けた状態の側面図である。
【図４】従来例の説明図である。
【図５】（ａ）（ｂ）は他の従来例の説明図である。
【符号の説明】
【００２５】
１  外壁面（躯体）
２  枝管
３  竪樋
４  集水ます
５  集水ます本体
６  躯体取付カバー
６ａ  躯体取付部
６ｂ  カバー部
６ｃ  後面部
７  係合手段
７ａ  突起部
７ｂ  係合部
９  逃がし凹所
１１  ビス打込み穴
Ａ  集水ます本体と外壁面間の隙間
Ｂ  竪樋の出寸法
Ｄ  前後方向
【図１】
2008133615.tif 000003
【図２】
2008133615.tif 000004
【図３】
2008133615.tif 000005
【図４】
2008133615.tif 000006
【図５】
2008133615.tif 000007